(57)【要約】【課題】探るタナを上げる方向に変えることができ、手持ちのルアーの使用範囲を広げることのできる新規な物品であるルアー用フロートを提供する。【解決手段】水の比重よりも軽い材質により形成され、ルアー１０に貼着されることを特徴とするルアー用フロート２０。このルアー用フロート２０を用いれば、手持ちのルアー１０のタナを上げる方向に変えることができる。なお、ルアー用フロート２０の形状を半球形状として、水の抵抗を少なくするのが好適である。また、ルアー用フロート２０の形状を板形状として、ルアー１０の直進安定性を向上させることも好適である。【選択図】図１
2012187010.tif 000002
【特許請求の範囲】
【請求項１】
水の比重よりも軽い材質により形成され、ルアーに貼着されることを特徴とするルアー用フロート。
【請求項２】
半球形状であることを特徴とする請求項１に記載のルアー用フロート。
【請求項３】
板形状であることを特徴とする請求項１に記載のルアー用フロート。
【発明の詳細な説明】
【技術分野】
【０００１】
本発明は、釣りのルアーに用いられるルアー用フロートに関するものであり、詳しくは、ルアーの浮力を調節することができるルアー用フロートに関するものである。
【背景技術】
【０００２】
釣りには、様々な手法の釣りがあるが、中には、ルアーを用いたルアーフィッシングがある。そして、ルアーフィッシングでは、狙う魚の種類や、季節、その日の天候等に応じて、プラグやスプーン等の様々なタイプのルアーが用いられている。
【０００３】
ところで、ルアーの種類としては、形状や泳ぎ方の違いによる分け方ばかりでなく、水に対する重さの違い（浮力の違い）による分け方があり、浮力の違いによる分け方によれば、浅いタナ（水深）を探る「軽いルアー」と深いタナを探る「重いルアー」とに大別することができる。
【０００４】
また、ルアーにオモリを付加すれば探るタナを下げることができ、ルアーにオモリを付加して探るタナを変えることは、一般的になされている。
【発明の概要】
【発明が解決しようとする課題】
【０００５】
軽いルアーであれば、オモリを付加せずに浅いタナを探ったり、オモリを付加して深いタナを探ったりすることができ、広い範囲で使用することができる。しかしながら、重いルアーでは、オモリを付加することでより深いタナが探れるようになるだけであり、当初の設定よりも浅いタナを探れるようにすることはできない。
【０００６】
ここで、手持ちのルアーが少なく、重いルアーだけであったり、根掛りによって軽いルアーを紛失してしまい、残されたルアーが重いルアーだけになってしまった場合等、手持ちのルアーでは浅いタナを探ることができない場合がある。また、ルアーを購入する際に、特に初心者では、自分好みの形や色のルアーを選ぶのが通常であり、購入したルアーが重いルアーであり、浅いタナを探るには適さない場合がある。よって、重いルアーでも浅いタナを探れるようにすること、換言すれば、探るタナを上げる方向に変えられるようにすること、が望まれる。
【０００７】
一方、軽いルアーであっても、水面スレスレ等、より浅いタナを探れるようにしたい場合もある。よって、探るタナを上げる方向に変えることができれば、手持ちのルアーの使用範囲が広がることから有益である。
【０００８】
本発明は、上記実情を鑑みてなされたものであり、探るタナを上げる方向に変えることができ、手持ちのルアーの使用範囲を広げることのできる新規な物品であるルアー用フロートの提供を課題とする。
【課題を解決するための手段】
【０００９】
上記課題を解決するために本発明の採った主要な手段は、
「水の比重よりも軽い材質により形成され、ルアーに貼着されることを特徴とするルアー用フロート」
である。
【００１０】
そもそも本発明のルアー用フロートの適用対象となるルアーは、水中を泳がせるルアーであり、水の比重よりも若干重い材質により形成されたものである。このようなルアーに、水の比重よりも軽い材質により形成された本発明のルアー用フロートを貼着すれば、当初のルアーよりも浮力を高めて、探るタナを上げる方向に変えることができる。
【００１１】
よって、本発明のルアー用フロートを用いれば、手持ちのルアーにおいて、探るタナを上げる方向に変えることができ、手持ちのルアーの使用範囲を広げることができる。
【００１２】
ところで、一つのルアーによって、水面から水底まで小刻みにタナを探ろうとする場合、従前の如く軽いルアーにオモリを段階的に付加して、探るタナを徐々に深くしていこうとすると、不慣れな場合には、いきなり大きなオモリを付加してルアーを水底に着底させてしまい、根掛りしてルアーを紛失してしまうといった不具合が生じる虞がある。よって、この点で、タナを下げる方向に変更することは望ましくない。
【００１３】
これに対して、本発明のルアー用フロートを用いて探るタナを上げる方向に徐々に変更することとすれば、無用に大きな浮力が得られるルアー用フロートを誤って用いたとしても、ルアーは意に反して浮くだけであり、ルアーが根掛りして紛失してしまうことはない。よって、この点で、本発明のルアー用フロートを用いてタナを上げるといった手法は、オモリを付加してタナを下げる手法に比して有利である。
【００１４】
上述した手段において、
「半球形状であることを特徴とするルアー用フロート」
とするのが好適である。
【００１５】
半球形状とすれば、ルアー用フロート自体が水の抵抗を受け難くなる。よって、ルアー用フロートを貼着しても、ルアー本来の動きに影響を与え難くすることができる。
【００１６】
また、半球形状の底面をルアーに貼着する貼着面とすることで、ルアー用フロート全体に対して広い貼着面を確保することができ、ルアー用フロートをルアーに堅固に貼着することができる。
【００１７】
また、上述した手段において、
「板形状であることを特徴とするルアー用フロート」
とするのも好適である。
【００１８】
ルアーが、プラグ等の魚に模した形態のルアーである場合に、板形状のルアー用フロートをルアーの上部に貼着することで、魚の背びれのように見せることができ、ルアー用フロートをルアーに、外観上、違和感なく用いることができる。
【００１９】
また、ルアーの軸線に沿って板形状のルアー用フロートを貼着することで、ルアーの直進安定性を向上させることができる。
【００２０】
一方、ルアーの軸線に対して僅かに傾斜させて板形状のルアー用フロートを貼着することで、ルアーを旋回させることもできる。旋回するルアーを用いると、藻場や礫場等の根掛りし易いポイントの向こう側にルアーを投入しても、根掛りし易いポイントを迂回するようにルアーを泳がせることができる。
【００２１】
また、ルアーの軸線に対して大きく傾斜させたり、垂直な状態で板形状のルアー用フロートを貼着して、ルアー用フロートが大きな水の抵抗を受けるようにしてもよい。このようにすれば、ルアー本来の動きを大きく変えることができ、一つのルアーでもって様々な動き方をするルアーを実現することができる。
【発明の効果】
【００２２】
上述した通り、本発明によれば、探るタナを上げる方向に変えることができ、手持ちのルアーの使用範囲を広げることのできる新規な物品であるルアー用フロートを提供することができる。
【図面の簡単な説明】
【００２３】
【図１】本発明に係るルアー用フロートの一例を示す説明図である。
【図２】本発明に係るルアー用フロートの別例を示す説明図である。
【図３】板形状のルアー用フロートの好適な例を示す図であり、（ａ）は正面図、（ｂ）は右側面図、（ｃ）は平面図である。
【図４】複数種類のルアー用フロートを取り扱う状態を示す平面図である。
【発明を実施するための形態】
【００２４】
本発明に係るルアー用フロートの実施形態としての一例を、以下、図面に従って詳細に説明する。
【００２５】
図１に、本発明に係るルアー用フロート２０の一例、及び、このルアー用フロート２０の使用態様を示す。
【００２６】
ルアー用フロート２０は、発泡スチロール樹脂等、水の比重よりも軽い材質によって形成されたものであり、ルアー１０に貼着することでルアー１０の浮力を高めることができるものである。
【００２７】
ここで、本例では、ルアー用フロート２０の全体形状を半球形状としてあり、水の抵抗を受け難く、ルアー１０に貼着しても、ルアー用フロート２０が受ける水の抵抗によってルアー１０本来の動きが大きく変わるといったような不具合が生じ難くしてある。また、全体形状を半球形状とし、底面をルアー１０に貼着する貼着面２１とすることで、広い貼着面２１を確保することができる。よって、ルアー用フロート２０をルアー１０に堅固に貼着することができる。
【００２８】
なお、ルアー１０への貼着については、接着剤や粘着剤を用いてもよく、両面テープを用いてもよい。ここで、ルアー用フロート２０の貼着面２１に接着剤や粘着剤を予め塗布した上で、この貼着面２１を剥離シートで被覆しておくと、剥離シートを剥がすだけで使用することができることから好適である。
【００２９】
ルアー用フロート２０をルアー１０に貼着する場合、ルアー１０の重心Ｇのほぼ真上に貼着すると（矢印Ａ参照）、水中におけるルアー１０の姿勢が大きく変わらず、ルアー１０に本来通りの動きをさせることができる。ここで、浮力が不足する場合には、ルアー用フロート２０を追加して貼着したり（矢印Ｂ参照）、図示は省略するが、大きなルアー用フロート２０に付け替えればよい。
【００３０】
また、本例では、ルアー１０として、プラグ、特に、ミノーやクランクベイド等、魚を模したルアー本体１１に針１２を付けたものを採用している。このようなルアー１０は、先端部分にリップ１１ａが設けられており、リーリング（リトリーブ）すると潜るように動作する。よって、このようなルアー１０では、ルアー用フロート２０の取付け位置を工夫することで、ルアー１０に本来とは異なる動き方をさせることができる。
【００３１】
例えば、ルアー用フロート２０をルアー１０の先端部分に付ければ（矢印Ｃ参照）、水中におけるルアー１０の姿勢が本来の姿勢よりも上向きになる。よって、ルアー１０の潜りを浅くすることができる。一方、ルアー用フロート２０をルアー１０の後端部分に付ければ（矢印Ｄ参照）、水中におけるルアー１０の姿勢が本来の姿勢よりも下向きになる。よって、ルアー１０の潜りを深くすることができる。
【００３２】
次に、図２に、本発明に係るルアー用フロート２０の別の例、及び、このルアー用フロート２０の使用態様を示す。
【００３３】
このルアー用フロート２０は、全体形状を板形状としたものである。なお、発泡スチロール樹脂等、水の比重よりも軽い材質によって形成されており、ルアー１０に貼着することでルアー１０の浮力を高めることができるものであることは、前述の例と同様である。
【００３４】
図２（ａ）に示すように、板形状のルアー用フロート２０をルアー１０の上部に貼着すると、ミノー等の魚を模したルアー１０において、ルアー用フロート２０を魚の背びれに見せることができ、外観上、違和感がないようにすることができる。
【００３５】
また、ルアー用フロート２０をルアー１０の軸線Ｊに沿って取り付けることで、ルアー１０の直進安定性を向上させることができる。
【００３６】
一方、図２（ｂ）に示すように、ルアー用フロート２０をルアー１０の軸線Ｊに対して傾斜させれば、リーリングによりルアー１０を旋回させることができる。旋回するルアー１０を用いることで、藻場等の根掛りし易いポイントを迂回するようにルアー１０をリーリングすることができる。
【００３７】
ここで、ルアー用フロート２０を板形状とする場合には、図３に示すように、底面にて広い貼着面２１を確保した上で、先端、後端及び上端を尖らせて全体を流線型にすると、ルアー１０に堅固に貼着することができ、また、水の抵抗を受け難くすることができることから好適である。
【００３８】
ところで、本発明に係るルアー用フロート２０を販売する際等の取り扱いに際しては、個々のルアー用フロート２０を個別に単体で取り扱ってもよいが、ルアー用フロート２０自体が小さく軽いものであるため、紛失したり、他の釣用具の隙間等に紛れ込み易い。よって、例えば図４に示すように、多数のルアー用フロート２０を１枚の剥離シート３０に貼り付けて取り扱うこととするのがよい。
【００３９】
図４に示す例では、半球形状のルアー用フロート２０（ａ）、及び、板形状のルアー用フロート２０（ｂ）といったように、複数のタイプのルアー用フロート２０（ａ，ｂ）を１枚の剥離シート３０に貼り付けてある。また、夫々のタイプのルアー用フロート２０でも、小型のルアー用フロート２０（Ｓ）、中型のルアー用フロート２０（Ｍ）、及び、大型のルアー用フロート２０（Ｌ）といったように、複数の大きさのルアー用フロート２０（Ｓ，Ｍ，Ｌ）を設定してあり、これら複数のタイプ及び複数の大きさのルアー用フロート２０を１枚の剥離シート３０に貼り付けてある。
【００４０】
ルアー用フロート２０をこのように取り扱うことで、使用者は、その時々に応じて所望のルアー用フロート２０を選択し、剥離シート３０から剥がして手軽に使用することができる。
【００４１】
以上、本発明に係るルアー用フロートの例を説明したが、本発明に係るルアー用フロートは上述の例に限らず、本発明の要旨を逸脱しない範囲で、適宜の変更が可能である。
【００４２】
例えば、形状としては、半球形状や板形状に限らず、種々の形状を採用することができる。また、色としては、白色や黄色、或いは蛍光色といったように明るい色を採用することで、キャスティングしたルアーを目視により確認し易くすることができる。一方、黒色、灰色、茶色や緑色等の暗い色を採用することで、ルアーに付けたルアー用フロートを目立ち難くすることができる。
【００４３】
また、本発明に係るルアー用フロートは、ミノーやクランクベイド等のプラグに限らず、スプーン、エギ、ワーム等、様々なルアーに用いることができる。
【符号の説明】
【００４４】
１０  ルアー
１１  ルアー本体
１１ａ  リップ
１２  針
２０  ルアー用フロート
２１  貼着面
３０  剥離シート
【図１】
2012187010.tif 000003
【図２】
2012187010.tif 000004
【図３】
2012187010.tif 000005
【図４】
2012187010.tif 000006